【事件の表示】
　特願２００１−３０３７０７「オッズ情報提供装置およびオッズ情報提供システム」拒絶査定不服審判事件〔平成１５年　４月１１日出願公開、特開２００３−１０８７００〕について、次のとおり審決する。
【結　論】
　本件審判の請求は、成り立たない。
【理　由】
１．手続の経緯
　本願は、平成１３年９月２８日の出願であって、平成１８年１０月１２日付（発送日　１０月２４日）で拒絶査定がされ、これに対し、同年１１月２４日に拒絶査定不服審判が請求され、同年１２月２１日付で手続補正がなされたものである。
　
　
２．本願発明
　平成１８年１２月２１日付の手続補正は、請求項の削除および明瞭でない記載の釈明を目的とした補正と認める。
　したがって、本願の請求項に係る発明は、平成１８年１２月２１日付の手続補正により補正された特許請求の範囲に記載されたとおりのものと認める。
　そして、本願の請求項１に係る発明（以下、本願発明という。）は、以下のとおりである。
　
「【請求項１】
　オッズ情報を管理するセンタの上位装置と通信回線を介して接続し、
該上位装置から指定オッズ情報を取得するオッズ情報提供装置であって、
　検索条件として、場名、レース番号とともに、出走馬番号または選手番号、および賭式を入力するレース情報入力部と、
　入力された前記検索条件を前記上位装置に送信して、該当する指定オッズ情報の返送を要求し、検索要求を受けた前記上位装置の制御部において、前記出走馬番号または選手番号、および賭式をキーとして、オッズ情報を格納するレース情報データベースが検索され、前記上位装置から前記指定オッズ情報の検索結果を受信する通信部と、
　取得した前記指定オッズ情報をもとに、前記出走馬番号または選手番号、および賭式全ての組合せにおいて、賭式毎に加工した一括比較リストを生成する制御部と、
　生成した前記一括比較リストを出力する表示部と
を備えることを特徴とするオッズ情報提供装置。」
　
　
３．引用文献
　拒絶理由通知書で引用文献１として引用された、特開平９−２８２３８６号公報（以下、引用例という。）には、次の事項が記載されている。
　
（ア）「【０００７】例えばレース単位に単勝式，複勝式，枠番連勝複式，馬番連勝式，３連複が存在すると仮定した場合、全ての賭け目についてオッズ情報を提供しようとすると、オッズ情報は膨大なものになり、膨大な数のオッズ情報を一度に表示したり，印刷したりした場合、文字の大きさが小さくなり、見難くなる。本発明は、この点に鑑みて創作されたものであって、膨大なオッズ情報の中からファンの希望するオッズ情報だけを的確に知らせることが出来るオッズ提供装置を提供することを目的としている。」
（イ）「【００１２】
【発明の実施の形態】図１は本発明のオッズ提供装置の構成例を示す図である。同図において、１は出走馬番入力部、２は出走馬名入力部、３は主処理部、４は通信部、５は表示部、６は印刷部、７はセンタ、Ａは出走馬番入力部１より入力された要求情報、Ｂは出走馬名入力部２より入力された馬名情報、Ｃは指定オッズ情報要求、Ｄはオッズ情報をそれぞれ示す。
【００１３】出走馬番入力部１より要求情報Ａまたは出走馬名入力部２より入力された馬名情報Ｂは、主処理部３に通知される。主処理部３は、通知された要求情報Ａまたは馬名情報Ｂを指定オッズ情報要求Ｃに変換し、通信部４に通知する。通信部４は、通知された指定オッズ情報要求Ｃをセンタ７に送信し、センタ７からの指定オッズ情報Ｄを受信し、受信した指定オッズ情報Ｄを主処理部３に通知する。主処理部３は、通知された指定オッズ情報Ｄを表示部５および印刷部６に通知する。表示部５は、通知された指定オッズ情報Ｄを表示する。また、印刷部６は、通知された指定オッズ情報Ｄを印刷する。
【００１４】指定オッズ情報Ｄは、要求情報Ａ又は馬名情報Ｂで特定された馬を含むオッズ情報を全て含む。レースの賭式として枠番連勝複式，馬番連勝式，単勝式，複勝式が存在し、馬番として１番の馬を指定したと仮定する。指定オッズ情報Ｄは、枠番連勝複式については、枠１−２のオッズ情報，枠１−３のオッズ情報，…，枠１−８のオッズ情報を含む。なお、枠は１枠から８枠まであり、１番の馬は１枠に存在するとしている。
【００１５】また、指定オッズ情報Ｄは、馬番連勝式については、馬番１−２のオッズ情報，馬番１−３のオッズ情報，…，馬番１−１８のオッズ情報を含む。なお、出走馬の頭数は１８頭としている。さらに、指定オッズ情報Ｄは、単勝については１番の馬のオッズ情報を含み、複勝式については１番の馬のオッズ情報を含む。」
（ウ）「【００１７】ステップＳ１：初期画面が表示される。
ステップＳ２：馬名選択か否かを調べる。ＮＯ（馬番選択）の場合はステップＳ２に進み、ＹＥＳ（馬名選択）の場合はステップＳ７に進む。
ステップＳ３：場名選択のための処理を行う。すなわち、御客は場名を入力する。
ステップＳ４：レース番号選択のための処理を行う。すなわち、御客はレース番号を入力する。
ステップＳ５：場名，レース番号をセットする。すなわち、御客は特定のキー（例えばエンタ・キー）を押下する。
【００１８】ステップＳ６：出走番号画面が表示され、御客に出走番号の選択を促す。
ステップＳ７：出走馬名入力画面を表示し、御客に出走馬名の入力を促す。入力されたならば、ステップＳ９進む。
ステップＳ８：出走番号が選択されたか否かを調べる。選択されたならば、ステップＳ９に進む。
ステップＳ９：出走番号の入力の場合は出走番号をセットし、出走馬名の入力の場合は出走馬名をセットする。
【００１９】ステップＳ１０：出走番号がセットされた場合には、場名，レース番号，出走番号を付けてセンタにオッズ情報を要求する。また、出走馬名がセットされた場合には、出走馬名を付けてセンタにオッズ情報を要求する。なお、競争馬は一日に１回しかレースに出走しないので、センタは馬名が通知されると、この馬名から場名やレース番号，出走番号を知ることが出来る。
ステップＳ１１：応答ありか否かを調べ、ＹＥＳのときはステップＳ１２に進む。
【００２０】ステップＳ１２：受信解析処理を行い、指定オッズ情報の表示処理を行う。
ステップＳ１３：印刷するか否かを調べる。ＹＥＳの場合はステップＳ１４に進み、ＮＯの場合はステップＳ１５に進む。
ステップＳ１４：用紙に指定オッズ情報を印刷する。」
（エ）「【００２２】
【発明の効果】以上の説明から明らかなように、本発明によれば、膨大なオッズ情報からファンの希望するオッズ情報を的確に提供できるため、ファンへのサービズ向上に寄与するところが大である。また、表示や印刷をする場合に、組番の数が減っただけ文字，数字を大きくでき、視認性が向上する。なお、実施例では競馬を例にしているが、本発明を用いて競輪や競艇のオッズ情報を提供することも出来る。」
　
　上記（ア）ないし（エ）の記載、並びに図面を総合すると、引用例には、以下のような発明が記載されているということができる。
　
「１　オッズ情報を管理するセンタ７と通信回線を介して接続されたオッズ提供装置であって、
　２　オッズ提供装置には、客が「場名」，「レース番号」，「出走番号」等を含む要求情報Ａを入力するための出走馬番入力部１が設けられており、
　３　客によって入力された要求情報Ａに基づいて指定オッズ情報要求Ｃが作成されてセンタ７に送信され、センタに指定オッズ情報を要求し、
　４　センタ７は、指定オッズ情報要求Ｃに対応する指定オッズ情報Ｄをオッズ提供装置に送信し、
　５　オッズ提供装置は、受信した指定オッズ情報Ｄをもとに、出走馬番号および賭式の組合せのリストを表示あるいは印刷（段落【００１４】，【００１５】および【００１９】，【００２０】等の記載参照）して客に提供する、
　６　オッズ提供装置」
（以下、引用例に記載された発明を、引用発明という。）
　
　
４．対比
　引用発明の「センタ７」および「オッズ提供装置」は、本願発明の「センタ」および「オッズ情報提供装置」に相当する。
　引用発明において客が入力する「場名」，「レース番号」，「出走番号」を含む要求情報Ａは、本願発明における「場名、レース番号、出走馬番号」などの検索条件に相当し、引用発明の「出走馬番入力部」は、本願発明の「レース情報入力部」に相当する。
　引用発明の「センタ７」はオッズ情報をどのように管理しているのか明確でないが、引用発明のセンタ７は、「場名」，「レース番号」，「出走番号」を含む要求情報Ａに基づいて作成された指定オッズ情報要求Ｃを受信すると、該指定オッズ情報要求Ｃに対応する指定オッズ情報Ｄを送信するのであるから、引用発明のセンタに、「場名」，「レース番号」，「出走番号」などのデータに基づいてオッズ情報（指定オッズ情報）を取り出せるようなデータベースが備えられていることは明らかである。
　したがって、本願発明の「検索要求を受けた上位装置（センタ）の制御部において、出走馬番号をキーとして、オッズ情報を格納するレース情報データベースが検索され」ることは、実質的に引用例に記載されているということができる。
　また、引用発明において、「受信した指定オッズ情報Ｄをもとに、出走馬番号および賭式の組合せのリストを表示あるいは印刷すること」は、本願発明で、「取得した前記指定オッズ情報をもとに、前記出走馬番号、および賭式全ての組合せにおいて、リストを生成する制御部と、生成した前記リストを出力する表示部」を備えることに対応するといえる。
　
　以上のことを総合すると、引用発明と本願発明とは、
　＜一致点＞
「オッズ情報を管理するセンタの上位装置と通信回線を介して接続し、
該上位装置から指定オッズ情報を取得するオッズ情報提供装置であって、
　検索条件として、場名、レース番号とともに、出走馬番号を入力するレース情報入力部と、
　入力された前記検索条件を前記上位装置に送信して、該当する指定オッズ情報の返送を要求し、検索要求を受けた前記上位装置の制御部において、前記出走馬番号をキーとして、オッズ情報を格納するレース情報データベースが検索され、前記上位装置から前記指定オッズ情報の検索結果を受信する通信部と、
　取得した前記指定オッズ情報をもとに、前記出走馬番号、および賭式の組合せにおいて、リストを生成する制御部と、
　生成した前記リストを出力する表示部と
を備えることを特徴とするオッズ情報提供装置。」 
　である点で一致し、以下の点で相違している。
　
　＜相違点１＞
　本願発明は、検索条件として「賭式」が入力され、該指定された「賭式」も検索キーとして用いられる、つまり、特定の「賭式」を検索キーとして指定でき、該「賭式」でのオッズ情報を検索するものであるのに対し、
　引用発明は、すべての賭式が指定されたものとして、オッズ情報を要求（検索）するものであり、特定の賭式を指定してオッズ情報を要求するものではない点。
　＜相違点２＞
　本願発明は、上位装置（センタ）から取得した指定オッズ情報をもとに、「出走馬番号または選手番号、および賭式全ての組合せにおいて、賭式毎に加工した一括比較リストを生成」するものであるのに対し、
　引用発明は、出走馬番号および賭式の組合せのリストを生成するものではあるが、該賭式と出走馬番号の組合せリストを具体的にどのような形式で表示するのか明記されていない点。
　
　
５．判断
　＜相違点１＞について
　引用発明は、レース単位に多くの賭式が存在し、かつそれぞれの賭式において全ての賭け目（全ての出走馬番号）についてのオッズ情報を表示すると見難くなるという問題点を解決するために、客が希望する「出走馬番号」に関連するオッズ情報のみを指定できるようにしたものである。
　したがって、「賭式」についても、特定の「賭式」に関連するオッズ情報のみを表示したい場合があることは、容易に想像できることであり、客が特定の「賭式」を入力して、該指定された「賭式」を検索キーとし、指定された「賭式」でオッズ情報を検索できるようにすることは、当業者が容易に想到し得たものと認められる。
　＜相違点２＞について
　指定したレースにおけるオッズ情報を表示するとき、賭式と出走馬番号のすべての組合せにおいて、賭式毎のオッズ情報を比較できるように一覧で表示したリストを作成することは、拒絶査定時に示された特開平９−１０６４２６号公報（図４の従来のオッズデータの表示例参照。このリストでは、単勝と枠番連勝のオッズを一覧で表示している。）や、例えば特開平６−２９５３０５号公報（図４参照。各レースでの単勝複式、枠番連勝、馬番連勝等の賭式におけるオッズ情報を、ミシン目ＣＬで区切られてはいるが、一覧で表示している。）にあるように周知なものである。
　したがって、引用発明のように、指定した出走馬番号に関するオッズ情報のみを表示するものにおいて、指定した出走馬番号に関するオッズ情報を賭式毎に、かつ賭式毎のオッズ情報を比較できるように一覧で表示したリストを作成すること（本願発明の「出走馬番号、および賭式全ての組合せにおいて、賭式毎に加工した一括比較リストを生成する」こと）は、当業者が容易に想到し得たものと認められる。
　ところで、請求人は、審尋に応答した平成２１年１月２９日付回答書において、本願発明は、指定オッズ情報が、一つの画面にて賭式単位毎に加工されて一括表示されるため、所望の賭式全てのオッズ情報の把握が可能になるもので、引用文献には本願発明の特徴である「投票者が希望するオッズ情報の全てを一画面上に賭式単位で比較表示させる」構成はない、旨の主張をしているが、請求項１には、「賭式毎に加工した一括比較リストを生成する」とあるだけで、該リストが「一画面」に表示されるとは特定されていない。
　したがって、上記請求人の主張は採用できない。
　なお仮に、本願発明が、一括比較リストを一画面に表示するものであるとしても、リストを一画面に表示する程度のことは適宜なし得るものと認められる。
　その他、本願発明の作用効果等を勘案しても、本願発明に格別の点は認められない。
　
　
６．むすび
　以上のとおり、本願発明は、引用発明および周知技術に基づいて当業者が容易に発明できたものであるから、特許法第２９条第２項の規定により特許を受けることができない。
　したがって、本願は、他の請求項について検討するまでもなく、拒絶されるべきものである。
　よって、結論のとおり審決する。